(57)【要約】【課題】倒立状態で使用されるエアゾール容器において、内容物を所望の方向に容易且つ確実に噴射させる。【解決手段】内容物が充填される容器本体１０と、上下動可能なステム１８を有し容器本体１０に設けられたバルブと、噴射口２２ａを有しステム１８の先端に設けられたアクチュエータ２０とを備え、アクチュエータ２０の押圧によりステム１８が移動して前記バルブが開放され、内容物がステム１８を介して噴射口２２ａから噴射するように構成されたエアゾール容器１において、アクチュエータ２０は、噴射口２２ａが側面に形成され、少なくとも先端周縁に当接部２８を有しており、当接部２８を水平面上に当接させることにより、容器本体１０を倒立させた状態で自立可能に構成されている。【選択図】　図１
2004033969.tif 000002
【特許請求の範囲】
【請求項１】
内容物が充填される容器本体と、上下動可能なステムを有し前記容器本体に設けられたバルブと、噴射口を有し前記ステムの先端に設けられたアクチュエータとを備え、
前記アクチュエータの押圧により前記ステムが移動して前記バルブが開放され、内容物が前記ステムを介して前記噴射口から噴射するように構成されたエアゾール容器において、
前記アクチュエータは、前記噴射口が側面に形成され、少なくとも先端周縁に当接部を有しており、該当接部を水平面上に当接させることにより、前記容器本体を倒立させた状態で自立可能に構成されているエアゾール容器。
【請求項２】
前記アクチュエータは、押圧時に前記容器本体の先端周縁と当接可能な幅を有する請求項１に記載のエアゾール容器。
【請求項３】
前記アクチュエータは、前記噴射口の噴射方向に向けて延びるガイド部を有する請求項１又は２に記載のエアゾール容器。
【請求項４】
前記ガイド部は靴の形状を有しており、爪先方向が前記噴射方向に略一致する請求項３に記載のエアゾール容器。
【請求項５】
内容物が充填される容器本体と、上下動可能なステムを有し前記容器本体に設けられたバルブとを備えたエアゾール容器において、
噴射口を有し前記ステムの先端に取り付けられ、押圧されることにより前記ステムを移動させて前記バルブを開放し、前記ステムを介して内容物を前記噴射口から噴射させるアクチュエータであって、
前記噴射口が側面に形成され、少なくとも先端周縁に当接部を有しており、該当接部を水平面上に当接させることにより、前記容器本体を倒立させた状態で前記エアゾール容器を自立させることができるアクチュエータ。
【請求項６】
内容物が充填される容器本体と、上下動可能なステムを有し前記容器本体に設けられたバルブと、噴射口を側面に有し前記ステムの先端に設けられた噴射ボタンとを備え、前記噴射ボタンの押圧により前記ステムが移動して前記バルブが開放され、内容物が前記ステムを介して前記噴射口から噴射するように構成されたエアゾール容器において、前記噴射ボタンに固定されるアクチュエータであって、
少なくとも先端周縁に当接部を有しており、該当接部を水平面上に当接させることにより、前記容器本体を倒立させた状態で前記エアゾール容器を自立させることができるアクチュエータ。
【発明の詳細な説明】
【０００１】
【発明の属する技術分野】
本発明は、エアゾール容器及びアクチュエータに関し、より詳しくは、倒立状態で使用されるエアゾール容器及びそのアクチュエータに関する。
【０００２】
【従来の技術】
エアゾール容器は、一般に、容器本体、バルブ、アクチュエータなどから構成されており、容器本体に収納された内容物が、バルブに連結された噴射用ボタン等のアクチュエータを操作することにより放出される。
【０００３】
このようなエアゾール容器において、育毛剤や整髪料などを内容物とする場合には、アクチュエータが下方に位置する状態で使用可能なバルブを備えた倒立型のエアゾール容器が用いられる。倒立型エアゾール容器の一例として、特開２００１−１３０６５４号公報に開示されたものが知られており、この構成を図４に示す。
【０００４】
このエアゾール容器５０は、容器本体５２、バルブ５４、アクチュエータ５６を備えている。容器本体５２には、育毛剤などの原液と噴射ガスとから構成される内容物が充填されている。バルブ５４は、容器本体５２の上部開口を覆うマウンティングカップ５４１の中央に取り付けられており、上下動可能なステム５４２を備えている。アクチュエータ５６は椀状に形成され、中央底部に噴射口５６１を有しおり、ステム５４２の先端に取り付けられている。
【０００５】
このエアゾール容器５０によれば、倒立させた状態でアクチュエータ５６の周縁部を頭皮Ｓに当接させ、容器本体５２を頭皮Ｓに向けて押し付けると、バルブ５４に設けられたスプリング５４３の付勢力に抗してステム５４２が移動し、バルブ５４が開放される。この結果、容器本体５２の内容物が、ステム５４２及び噴射口５６１を介して頭皮Ｓに噴射される。
【０００６】
【発明が解決しようとする課題】
上述した従来の倒立型エアゾール容器によれば、アクチュエータ５６が椀状に形成されているので、アクチュエータ５６を頭皮Ｓに当接させると、アクチュエータ５６と頭皮Ｓとの間に閉空間Ｃが形成される。このため、噴射された内容物に含まれる噴射ガスによって閉空間Ｃの内圧が高まる結果、アクチュエータ５６の周縁と頭皮Ｓとの間に離間部分が発生し、この離間部分から内容物が外部に流出して拡散される。
【０００７】
ところが、上述した離間部分の発生箇所は、頭皮の形状や当接状態などによって相違するため、使用者が的確にコントロールすることができない。したがって、内容物を所望の方向に噴射させて拡散させる必要がある場合には、適用が困難であるという問題があった。
【０００８】
例えば、靴の消臭用として使用されるエアゾール容器は、靴を持ち上げて噴射すると手が汚れるおそれがあることから、靴を床に置いたまま使用することができるように倒立型のエアゾール容器であることが好ましい。ところが、上記構成のエアゾール容器を用いてアクチュエータを靴の中敷きに押し当てると、内容物が必ずしも爪先に向けて噴射されるとは限らないので、消臭効率が悪いという問題があった。
【０００９】
このため、靴の消臭用としては、側面に噴射口を備える通常の噴射ボタンをアクチュエータとするエアゾール容器が従来から用いられていたが、噴射ボタンを指で押圧しなければならないために噴射方向が斜め方向にならざるを得ず、内容物を爪先まで十分に行き渡らせることが困難であった。
【００１０】
本発明は、このような問題を解決すべくなされたものであって、倒立状態で使用されるエアゾール容器において、内容物を所望の方向に容易且つ確実に噴射することができるエアゾール容器及びアクチュエータを提供することを目的とする。
【００１１】
【課題を解決するための手段】
本発明の前記目的は、内容物が充填される容器本体と、上下動可能なステムを有し前記容器本体に設けられたバルブと、噴射口を有し前記ステムの先端に設けられたアクチュエータとを備え、前記アクチュエータの押圧により前記ステムが移動して前記バルブが開放され、内容物が前記ステムを介して前記噴射口から噴射するように構成されたエアゾール容器において、前記アクチュエータは、前記噴射口が側面に形成され、少なくとも先端周縁に当接部を有しており、該当接部を水平面上に当接させることにより、前記容器本体を倒立させた状態で自立可能に構成されているエアゾール容器により達成される。
【００１２】
このエアゾール容器において、前記アクチュエータは、押圧時に前記容器本体の先端周縁と当接可能な幅を有することが好ましい。
【００１３】
また、前記アクチュエータは、前記噴射口の噴射方向に向けて延びるガイド部を有することが好ましい。
【００１４】
また、前記ガイド部は靴の形状を有することが可能であり、この場合には、爪先方向が前記噴射方向に略一致することが好ましい。
【００１５】
また、本発明の前記目的は、内容物が充填される容器本体と、上下動可能なステムを有し前記容器本体に設けられたバルブとを備えたエアゾール容器において、噴射口を有し前記ステムの先端に取り付けられ、押圧されることにより前記ステムを移動させて前記バルブを開放し、前記ステムを介して内容物を前記噴射口から噴射させるアクチュエータであって、前記噴射口が側面に形成され、少なくとも先端周縁に当接部を有しており、該当接部を水平面上に当接させることにより、前記容器本体を倒立させた状態で前記エアゾール容器を自立させることができるアクチュエータにより達成される。
【００１６】
また、本発明の前記目的は、内容物が充填される容器本体と、上下動可能なステムを有し前記容器本体に設けられたバルブと、噴射口を側面に有し前記ステムの先端に設けられた噴射ボタンとを備え、前記噴射ボタンの押圧により前記ステムが移動して前記バルブが開放され、内容物が前記ステムを介して前記噴射口から噴射するように構成されたエアゾール容器において、前記噴射ボタンに固定されるアクチュエータであって、少なくとも先端周縁に当接部を有しており、該当接部を水平面上に当接させることにより、前記容器本体を倒立させた状態で前記エアゾール容器を自立させることができるアクチュエータによっても達成される。
【００１７】
【発明の実施の形態】
以下、本発明の実態形態について添付図面を参照して説明する。図１は、本発明の一実施形態に係るエアゾール容器を示す要部正面図であり、図２は、図１に示すアクチュエータの側面図である。
【００１８】
図１に示すように、エアゾール容器１は、容器本体１０と、ステム１８と、アクチュエータ２０とを備えており、靴の消臭用として使用される。
【００１９】
容器本体１０は、略円筒状に形成されたアルミニウムなどの金属缶からなり、先端部の開口をマウンティングカップ１２により覆うことで、内容物が密封される。内容物は、消臭成分を含む原液と、液化ガス又は圧縮ガスからなる噴射剤とから構成される。
【００２０】
ステム１８は、容器本体１０の内部においてマウンティングカップ１２に固定されたバルブ（図示せず）に上下動可能に設けられている。バルブの構成については図４にも示すように周知であるが、ステム１８を容器本体１０の内部に押し込むことによりバルブが開放され容器本体１０の内部圧力によりステム１８を介して内容物が吐出される一方、ステム１８を放すとスプリングの付勢力によりステム１８が元の状態まで移動してバルブが閉じられる。
【００２１】
アクチュエータ２０は、基部２２とガイド部２６とから構成されており、ステム１８の先端に取り付けられている。図１及び図２に示すように、基部２２は、側面に形成された噴射口２２ａと端面中央に形成された取付部２２ｂとが流路２３によって連通されており、取付部２２ｂに装着されたステム１８から吐出される容器本体１０の内容部は、流路２３を経て噴射口２２ａから噴射される。取付部２２ｂを挟んで噴射口２２ａの反対側の側面には、人差し指の指先が入る程度の大きさに形成された切欠部２４が設けられている。この基部２２は、正面視においてマウンティングカップ１２の先端周縁の外径よりも大きい幅を有している。
【００２２】
ガイド部２６は、一対の靴を揃えたような形状を有しており、爪先部２７が噴射口２２ａの噴射方向を向くように形成されている。ガイド部２６の端面（先端面）は、中央部分が切り欠かれて周縁に当接部２８を有しており、この当接部２８を水平面上に当接させることにより、容器本体１０が倒立した状態でエアゾール容器１が自立可能となっている。
【００２３】
次に、このエアゾール容器１の作動について説明する。使用時においては、エアゾール容器１を倒立させた状態のまま、噴射口２２ａを靴内部の爪先に向けた状態で当接部２８を靴の中敷きに当接させる。噴射口２２ａの向きは、ガイド部２６の方向によって容易に把握することができる。
【００２４】
この状態で容器本体１０を下方に向けて押圧すると、ステム１８が容器本体１０の内部に押し込まれ、噴射口２２ａから内容物が噴射される。この結果、内容物を中敷きに沿って靴の内部全体に確実に行き渡らせることができ、消臭効率を高めることができる。
【００２５】
アクチュエータ２０の基部２２は、マウンティングカップ１２の先端周縁の外径よりも大きい幅を有しているので、ステム１８が押し込まれると、マウンティングカップ１２の先端周縁が基部２２の端面に当接して、所定量以上の押し込みが制限される。また、容器本体１０の押圧力が鉛直方向ではなく斜め方向に作用するなどしてステム１８にたわみが生じると、やはりマウンティングカップ１２の先端周縁と基部２２の端面とが当接して、所定量以上のたわみが制限される。この結果、ステム１８に過度の圧縮応力や曲げ応力が作用するおそれがなく、耐久性の向上を図ることができる。
【００２６】
また、このエアゾール容器１によりブーツや特殊な形状の靴などを消臭する場合には、切欠部２４に人差し指を入れてアクチュエータ２０を押圧することにより、通常の噴射ボタンからなるアクチュエータと同様に使用することもできる。この場合も、ガイド部２６の向きと切欠部２４の位置から噴射方向を容易に把握することができる。
【００２７】
使用終了後は、エアゾール容器１が倒立状態で自立可能であることから、この倒立状態のまま靴棚などの水平面上に載置しておくことができるので、次に使用する際の使い勝手を良くすることができる。また、ガイド部２６が容器本体２０の内容物を反映した靴の形状であるので、エアゾール容器１の用途を容易に認識することができる。
【００２８】
以上、本発明の一実施形態について詳述したが、本発明は、靴の消臭用としてだけでなく、例えば、家具と床との隙間における殺虫用など、水平面近傍に内容物を噴射する用途に特に適しており、殺虫剤、消臭剤、洗浄剤、制汗剤など幅広い用途に適用可能である。
【００２９】
また、アクチュエータの構成についても本実施形態のものに限定されず、例えば、従来の噴射ボタンと組み合わせることにより本実施形態のアクチュエータ２０と同様の構成となるアクチュエータ３０を使用することもできる。即ち図３に示すように、このアクチュエータ３０は、略平行に配置された前板３３及び後板３４によって基部３２が構成されており、前板３３には窓部３３ａが形成されている。一方、ガイド部３６の構成については上記実施形態におけるガイド部２６と同様である。このアクチュエータ３０によれば、ステム１８に取り付けられた噴射ボタン４０の側面における噴射口４２を窓部３３ａに合わせ、前板３３と後板３４との間に噴射ボタン４０を狭持することにより噴射ボタン４０にアクチュエータ３０を固定することで、上記実施形態と同様の作用効果を得ることができる。このアクチュエータ３０は、既存のエアゾール容器に対して後付けが容易であるという利点を有している。
【００３０】
【発明の効果】
以上の説明から明らかなように、請求項１の発明によれば、容器本体を倒立させた状態でエアゾール容器を水平面上に自立させることができるので、非使用時においてはこの状態で保管することができると共に、使用時においてはこの状態から当接部を水平面に当接させて容器本体を単に押圧するだけで、アクチュエータの側面から内容物を噴射させることができる。したがって、水平面近傍の空間において内容物を所望の方向に容易且つ確実に噴射することが可能になる。
【００３１】
また、請求項２の発明によれば、押圧時に容器本体の先端周縁とアクチュエータとが当接可能となっているので、アクチュエータの押し込み量が制限されるだけでなく、ステムのたわみを所定量以下に維持することができる。したがって、使用中におけるステムの破損を防止して、耐久性を向上させることができる。
【００３２】
また、請求項３の発明によれば、容器本体を倒立させた状態で、容器本体の押圧前に噴射方向を容易に確認することができる。
【００３３】
また、請求項４の発明によれば、噴射方向の確認が容易なだけでなく、アクチュエータの形状によって内容物を容易に認識することができる。
【図面の簡単な説明】
【図１】本発明の一実施形態に係るエアゾール容器の要部を示す正面図である。
【図２】図１に示すアクチュエータの矢示Ａ方向の側面図である。
【図３】本発明の他の実施形態に係るエアゾール容器の要部を分解して示す正面図である。
【図４】従来のエアゾール容器を示す要部断面図である。
【符号の説明】
１　エアゾール容器
１０　容器本体
１８　ステム
２０　アクチュエータ
２２ａ　噴射口
２４　切欠部
２６　ガイド部
２７　爪先部
２８　当接部
３０　アクチュエータ
４０　噴射ボタン
４２　噴射口
【図１】
2004033969.tif 000003
【図２】
2004033969.tif 000004
【図３】
2004033969.tif 000005
【図４】
2004033969.tif 000006